(57)【要約】【課題】開梱作業における作業性の良い梱包用トレイを提供する。【解決手段】被梱包物を収納する収納部２３を有するトレイ本体２０と、被梱包物を支持する支持部１３を有するトレイ蓋１０と、を備え、トレイ本体２０には、上方向へ突出する本体側突出部２１が設けられていると共に、トレイ蓋１０の本体側突出部２１に対向する位置には蓋側突出部１１が設けられていて、蓋側突出部１１は、その突出方向が押圧された方向に反転可能であって、トレイ本体２０とトレイ蓋１０とが係止部３０によって係止されている状態では、蓋側突出部１１が本体側突出部２１に押圧されて上方向に向かって突出しており、係止部３０が開梱作業者によって解放される開梱時には、当該開梱作業者により蓋側突出部１１が上から押圧されることによって、蓋側突出部１１が下方向に向かって突出するように反転する。【選択図】図１
2018024441.tif 000002
【特許請求の範囲】
【請求項１】
被梱包物を収納する収納部を有するトレイ本体と、外周に外郭部を有すると共に前記被梱包物を支持する支持部を有するトレイ蓋と、を備え、前記トレイ本体と前記トレイ蓋のそれぞれが対向する面のいずれか一方には凹部を有し、他方には凸部を有し、これら凹部と凸部とを相互に嵌め合い可能とした係止部が設けられており、前記トレイ蓋が前記トレイ本体を上から覆うように組み合わされる梱包用トレイであって、
前記トレイ本体には、上方向へ突出する本体側突出部が設けられていると共に、前記トレイ蓋の前記本体側突出部に対向する位置には蓋側突出部が設けられていて、
前記蓋側突出部は、その突出方向が押圧された方向に反転可能であって、
前記トレイ本体と前記トレイ蓋とが前記係止部によって係止されている状態では、前記蓋側突出部が前記本体側突出部に押圧されて上方向に向かって突出しており、
前記係止部が開梱作業者によって解放される開梱時には、当該開梱作業者により前記蓋側突出部が上から押圧されることによって、前記蓋側突出部が下方向に向かって突出するように反転する、
ことを特徴とする梱包用トレイ。
【請求項２】
前記蓋側突出部を形成している材料の厚さが、前記本体側突出部を形成している材料の厚さよりも薄い、
ことを特徴とする請求項１に記載の梱包用トレイ。
【請求項３】
前記蓋側突出部を形成している材料の厚さが、前記トレイ蓋の、前記蓋側突出部の周囲を形成している材料の厚さよりも薄い、
ことを特徴とする請求項１又は請求項２に記載の梱包用トレイ。
【請求項４】
前記蓋側突出部は、前記外郭部の近傍にあり、
前記蓋側突出部を前記開梱作業者の親指で押圧した際に、前記外郭部を前記開梱作業者の他の指で保持することが可能である、
ことを特徴とする請求項１乃至請求項３のいずれかに記載の梱包用トレイ。
【請求項５】
前記外郭部に、内側方向へ凹む一対の凹み部がある、
ことを特徴とする請求項１乃至請求項４のいずれかに記載の梱包用トレイ。
【請求項６】
前記本体側突出部が十字型リブによって形成されている、
ことを特徴とする請求項１乃至請求項５のいずれかに記載の梱包用トレイ。
【発明の詳細な説明】
【技術分野】
【０００１】
本発明は、梱包用トレイに関し、特に、トレイ蓋とトレイ本体とが着脱自在に嵌合されている梱包用トレイに関する。
【背景技術】
【０００２】
従来から、トレイ蓋とトレイ本体とが着脱自在に嵌合されている梱包用トレイが存在する。トレイ蓋とトレイ本体との間の嵌合は、トレイ本体とトレイ蓋との対向面の一方に凹部を、他方に凸部をそれぞれ形成し、これら凹部と凸部とを相互に嵌め合うことによって行われる。
【０００３】
このような梱包用トレイである基板収納トレイ９００が特許文献１に開示されている。以下、基板収納トレイ９００について図８を用いて説明する。
【０００４】
基板収納トレイ９００は、半導体ウェーハＷを収納するトレイ本体９０１と、トレイ本体９０１に着脱自在に嵌合されて半導体ウェーハＷを覆うトレイ蓋９１０と、を備え、トレイ本体９０１とトレイ蓋９１０とを、樹脂を含む成形材料を使用してそれぞれ熱成形する。トレイ本体９０１とトレイ蓋９１０とをそれぞれ平面視略矩形に形成してその平坦な対向面のいずれか一方には凹部９０６を、他方には凸部９１２をそれぞれ形成し、凹部９０６と凸部９１２を相互に嵌合可能とする。また、トレイ本体９０１の中央部に、半導体ウェーハＷを、隙間を介して収納する収納穴９０２を凹み形成してその周壁には半導体ウェーハＷ用の取り出し溝９０５を形成し、トレイ蓋９１０の中央部に、隙間を介して半導体ウェーハＷを覆う中空の被覆部９１１を膨張形成し、トレイ蓋９１０の表面四隅部には、操作用の係止部９１３をそれぞれ突出形成する。
【０００５】
このような構成によって、簡易な構造で軽く安価な基板収納トレイを提供することができる。
【先行技術文献】
【特許文献】
【０００６】
【特許文献１】特開２００８−３０６１１１号公報
【発明の概要】
【発明が解決しようとする課題】
【０００７】
しかしながら、基板収納トレイ９００のような従来の梱包用トレイにおいては、運搬時等にトレイ蓋がトレイ本体から簡単に外れないように、互いの嵌合を強くするように設定されている。そのため、嵌合を解放するための開梱作業者による開梱時において、トレイ蓋を持ち上げようとすると、トレイ蓋がトレイ本体から簡単に外れないため、トレイ蓋と同時にトレイ本体も持ち上がってしまい、開梱作業における作業性が悪いという問題があった。
【０００８】
本発明はこのような従来技術の実情に鑑みてなされたもので、開梱作業における作業性の良い梱包用トレイを提供する。
【課題を解決するための手段】
【０００９】
上記課題を解決するために本発明の梱包用トレイは、被梱包物を収納する収納部を有するトレイ本体と、外周に外郭部を有すると共に前記被梱包物を支持する支持部を有するトレイ蓋と、を備え、前記トレイ本体と前記トレイ蓋のそれぞれが対向する面のいずれか一方には凹部を有し、他方には凸部を有し、これら凹部と凸部とを相互に嵌め合い可能とした係止部が設けられており、前記トレイ蓋が前記トレイ本体を上から覆うように組み合わされる梱包用トレイであって、前記トレイ本体には、上方向へ突出する本体側突出部が設けられていると共に、前記トレイ蓋の前記本体側突出部に対向する位置には蓋側突出部が設けられていて、前記蓋側突出部は、その突出方向が押圧された方向に反転可能であって、前記トレイ本体と前記トレイ蓋とが前記係止部によって係止されている状態では、前記蓋側突出部が前記本体側突出部に押圧されて上方向に向かって突出しており、前記係止部が開梱作業者によって解放される開梱時には、当該開梱作業者により前記蓋側突出部が上から押圧されることによって、前記蓋側突出部が下方向に向かって突出するように反転する、という特徴を有する。
【００１０】
このように構成された梱包用トレイは、開梱作業時に、開梱作業者により押圧される上方向へ突出していた蓋側突出部が下方向に向かって突出するように反転するので、トレイ蓋をトレイ本体から容易に引き剥がすことができる。その結果、開梱作業における作業性を良くすることができる。
【００１１】
また、上記の構成において、前記蓋側突出部を形成している材料の厚さが、前記本体側突出部を形成している材料の厚さよりも薄い、という特徴を有する。
【００１２】
このように構成された梱包用トレイは、蓋側突出部を形成している材料の厚さが、本体側突出部を形成している材料の厚さよりも薄いので、本体側突出部の剛性が蓋側突出部に対して高くなる。そのため、蓋側突出部を反転し易くすることができる。
【００１３】
また、上記の構成において、前記蓋側突出部を形成している材料の厚さが、前記トレイ蓋の、前記蓋側突出部の周囲を形成している材料の厚さよりも薄い、という特徴を有する。
【００１４】
このように構成された梱包用トレイは、蓋側突出部を形成している材料の厚さが、蓋側突出部の周囲を形成している材料の厚さよりも薄いので、蓋側突出部の周囲の剛性が高くなる。そのため、蓋側突出部をその周囲より突出し易くすることができる。
【００１５】
また、上記の構成において、前記蓋側突出部は、前記外郭部の近傍にあり、前記蓋側突出部を前記開梱作業者の親指で押圧した際に、前記外郭部を前記開梱作業者の他の指で保持することが可能である、という特徴を有する。
【００１６】
このように構成された梱包用トレイは、蓋側突出部が外郭部の近傍にあるため、蓋側突出部を開梱作業者の親指で押圧する際に、外郭部を開梱作業者の他の指で保持することが容易にできる。
【００１７】
また、上記の構成において、前記外郭部に、内側方向へ凹む一対の凹み部がある、という特徴を有する。
【００１８】
このように構成された梱包用トレイは、トレイ蓋の外郭部に一対の凹み部があるので、開梱作業時に開梱作業者の両手を一対の凹み部へ差し込むことができる。そのため、梱包用トレイが外装箱に収納されている状態においても、開梱作業を容易に行うことができる。
【００１９】
また、上記の構成において、前記本体側突出部が十字型リブによって形成されている、という特徴を有する。
【００２０】
このように構成された梱包用トレイは、本体側突出部を十字型リブにより形成することによって、本体側突出部の剛性をより高めることができる。そのため、蓋側突出部をより反転し易くすることができる。
【発明の効果】
【００２１】
本発明の梱包用トレイは、開梱作業時に、開梱作業者により押圧される上方向へ突出していた蓋側突出部が下方向に向かって突出するように反転するので、トレイ蓋をトレイ本体から容易に引き剥がすことができる。その結果、開梱作業における作業性を良くすることができる。
【図面の簡単な説明】
【００２２】
【図１】本発明の実施形態に係る梱包用トレイの外観を示す斜視図である。
【図２】梱包用トレイの平面図である。
【図３】梱包用トレイにおける係止部の外観を示す拡大斜視図である。
【図４】蓋側突出部と本体側突出部との関係を示す拡大断面模式図である。
【図５】本発明の変形例に係る梱包用トレイの外観を示す斜視図である。
【図６】本発明の変形例の本体側突出部を示す拡大斜視図及び拡大平面図である。
【図７】変形例の蓋側突出部と本体側突出部との関係を示す拡大断面模式図である。
【図８】従来例に係る基板収納トレイの分解斜視説明図である。
【発明を実施するための形態】
【００２３】
以下、本発明の梱包用トレイについて、図面を参照しながら説明する。本発明の梱包用トレイは、例えば、電子機器等の被梱包物を収納するための梱包用トレイである。本発明の梱包用トレイの用途については、以下説明する実施形態に限定されるものではなく適宜変更が可能である。尚、本明細書では、各図面に対する説明の中で便宜上、右側、左側、後側、前側、上側、下側と記載している場合があるが、これらは、それぞれ各図面内で＋Ｘ側、−Ｘ側、＋Ｙ側、−Ｙ側、＋Ｚ側、−Ｚ側を示すものであり、製品の設置方向や使用時の方向をこれらに限定するものではない。
【００２４】
［実施形態］
最初に、図１乃至図３を参照して、本発明の実施形態に係る梱包用トレイ１００の構造について説明する。図１は、本発明の実施形態に係る梱包用トレイ１００の外観を示す斜視図であり、図２は、梱包用トレイ１００の平面図であり、図３は、梱包用トレイ１００における係止部３０の外観を示す拡大斜視図である。
【００２５】
梱包用トレイ１００は、図１及び図２に示すように、被梱包物（図示せず）を収納する収納部２３を有するトレイ本体２０と、被梱包物を支持する支持部１３を有するトレイ蓋１０と、を備え、トレイ蓋１０がトレイ本体２０を上から覆うように組み合わされる梱包用トレイである。
【００２６】
トレイ本体２０の収納部２３及びトレイ蓋１０の支持部１３は、被梱包物の形状に合わせて形成されている。被梱包物は、収納部２３と支持部１３との間の空間に収納され、保持される。トレイ本体２０及びトレイ蓋１０は、平面視略矩形状に形成されている。尚、梱包用トレイ１００では、１つの梱包用トレイ１００内に２個の被梱包物が収納されるように、トレイ本体２０及びトレイ蓋１０が形成されている。
【００２７】
トレイ蓋１０は、上述した支持部１３と、トレイ本体２０に上方向から接する平面部１６と、トレイ蓋１０の外周を形成している外郭部１５と、から成る。支持部１３は、平面部１６から上側方向へ延在して形成されている。外郭部１５は、平面部１６の外側端から垂直下側方向へ延在する外壁部１５ａを有している。また、トレイ蓋１０と同様に、トレイ本体２０においても収納部２３がトレイ蓋１０に接する面から下方向へ延在して形成されている。
【００２８】
トレイ本体２０及びトレイ蓋１０は、どちらも真空成型によって形成される。真空成型を用いることによって、被梱包物の種々の形状に合わせて、トレイ本体２０の収納部２３及びトレイ蓋１０の支持部１３等を容易に成形することができる。トレイ本体２０及びトレイ蓋１０の材料としては、ＰＰ（polypropylene：ポリプロピレン）等の加工性の良い材料が用いられる。
【００２９】
梱包用トレイ１００は、図２に示すように、外装箱５０内に収納される。外装箱５０は、トレイ本体２０及びトレイ蓋１０の形状に合わせて、平面視矩形状の直方体形状に形成されている。外装箱５０内には、複数のトレイ本体２０が上下方向に重ねられて収納されると共に、これら複数のトレイ本体２０の上に、１つのトレイ蓋１０が最も上にあるトレイ本体２０に嵌合して取り付けられる。
【００３０】
梱包用トレイ１００の外郭部１５には、図１及び図２に示すように、内側方向へ凹む一対の凹み部３５が設けられている。一対の凹み部３５は、それぞれ、平面視略矩形状に形成されたトレイ蓋１０及びトレイ本体２０の対抗する２辺それぞれのほぼ中央に形成されている。
【００３１】
凹み部３５は、人の手が入る大きさに形成されている。そのため、人の両手を一対の凹み部３５にそれぞれ差し込むことによって、外装箱５０内に収納された複数の梱包用トレイ１００を、両手で抱えて取り出すことができる。また、外装箱５０内に複数の梱包用トレイ１００が収納された状態においても、最も上にあるトレイ本体２０からトレイ蓋１０を容易に取り外すことができる。
【００３２】
梱包用トレイ１００には、図１に示すように、トレイ本体２０とトレイ蓋１０とを嵌合させるための係止部３０が複数個所に設けられている。係止部３０は、トレイ本体２０とトレイ蓋１０のそれぞれが対向する面のいずれか一方には凸部１７を有し、他方には凹部２７を有し、これら凸部１７と凹部２７とを相互に嵌め合い可能とすることができる。
【００３３】
係止部３０は、図１に示すように梱包用トレイ１００の四隅に設けられていると共に、それぞれの四隅における直交する２辺それぞれに設けられている。従って、係止部３０は、梱包用トレイ１００において、８箇所設けられている。
【００３４】
梱包用トレイ１００では、係止部３０において、図３に示すように、凸部１７がトレイ蓋１０に設けられ、凹部２７がトレイ本体２０に設けられている。凸部１７は、トレイ蓋１０の外壁部１５ａから内側方向へ突き出すように形成されている。また、凹部２７は、トレイ本体２０におけるトレイ蓋１０の平面部１６の下側方向の空間において、凸部１７の形状に対応するようにトレイ本体２０から内側方向へ突き出すように形成されている。尚、梱包用トレイ１００では、凸部１７がトレイ蓋１０に設けられ、凹部２７がトレイ本体２０に設けられているが、凸部１７がトレイ本体２０に設けられ、凹部２７がトレイ蓋１０に設けられていても良い。
【００３５】
次に、図１、図２及び図４を参照して、梱包用トレイ１００における蓋側突出部１１及び本体側突出部２１の構造及びその機能について説明する。図４は、図２におけるＡ−Ａ線から見た蓋側突出部１１と本体側突出部２１との関係を示す拡大断面模式図であり、図４（ａ）は、トレイ本体２０とトレイ蓋１０とが係止部３０によって係止されている時の状態を示し、図４（ｂ）は、係止部３０が開梱作業者によって解放される開梱時の状態を示している。
【００３６】
梱包用トレイ１００には、図１及び図２に示すように、トレイ本体２０に上方向へドーム状に突出する本体側突出部２１が設けられていると共に、トレイ蓋１０の本体側突出部２１に対向する位置に、蓋側突出部１１が設けられている。蓋側突出部１１は、外郭部１５と支持部１３との間の平面部１６上、即ち、トレイ蓋１０の外郭部１５の近傍に設けられている。
【００３７】
本体側突出部２１は、平面視円形で、図４（ａ）に示すように、内側が空洞になったドーム状のドーム部２１ａから成り、蓋側突出部１１も、平面視円形で、内側が空洞になったドーム状のドーム部１１ａから成る。
【００３８】
梱包用トレイ１００において、トレイ本体２０とトレイ蓋１０とが係止部３０によって係止されている状態では、上方向に向かって突出した本体側突出部２１のドーム部２１ａの外側が、上方向に向かって突出した蓋側突出部１１のドーム部１１ａの内側に接している。言い換えれば、蓋側突出部１１が本体側突出部２１に押圧されて上方向に向かって突出している。
【００３９】
蓋側突出部１１を形成している材料の厚さｔ１は、本体側突出部２１を形成している材料の厚さｔ２よりも薄く設定されている。即ち、図４（ａ）に示すように、ｔ１＜ｔ２となるように設定されている。このことによって、蓋側突出部１１は、その突出方向が押圧された方向に反転可能となるように形成される。
【００４０】
また、蓋側突出部１１を形成している材料の厚さｔ１は、トレイ蓋１０の、蓋側突出部１１の周囲を形成している平面部１６の材料の厚さｔ３よりも薄く設定されている。即ち、図４（ａ）に示すように、ｔ１＜ｔ３となるように設定されている。
【００４１】
梱包用トレイ１００は、開梱時に開梱作業者（図示せず）によって係止部３０を解放することで開梱作業が行われる。係止部３０が開梱作業者によって解放される開梱時には、図４（ｂ）に示すように、蓋側突出部１１を開梱作業者の親指６１で押圧する。この時に、図１及び図２に示す、蓋側突出部１１の近傍にある外郭部１５を、開梱作業者の親指６１以外の指で保持する。
【００４２】
前述したように、蓋側突出部１１は、その突出方向が押圧された方向に反転可能となるように設けられている。従って、開梱時に開梱作業者の親指６１により蓋側突出部１１が上から押圧されると、上方向へ突出していた蓋側突出部１１のドーム部１１ａの頂点が本体側突出部２１のドーム部２１ａの頂点に接した状態で、蓋側突出部１１が下方向に向かって突出するように反転する。蓋側突出部１１が反転することによって、トレイ蓋１０をトレイ本体２０から容易に引き剥がすことができる。
【００４３】
また、前述したように、蓋側突出部１１は、トレイ蓋１０の外郭部１５の近傍に設けられている。従って、蓋側突出部１１を開梱作業者の親指６１で押圧した際に、外郭部１５を開梱作業者の他の指で保持することが容易に可能となる。
【００４４】
［変形例の実施形態］
次に、図５乃至図７を参照して、本発明の変形例の実施形態に係る梱包用トレイ１１０の構造について説明する。図５は、本発明の変形例に係る梱包用トレイ１１０の外観を示す斜視図であり、図６（ａ）は、梱包用トレイ１１０の本体側突出部４１を示す拡大斜視図であり、図６（ｂ）は、本体側突出部４１の拡大平面図である。また、図７は、図５におけるＢ−Ｂ線から見た、蓋側突出部１１と本体側突出部４１との関係を示す拡大断面模式図であり、図７（ａ）は、トレイ本体４０とトレイ蓋１０とが係止部３０によって係止されている時の状態を示し、図７（ｂ）は、係止部３０が開梱作業者によって解放される開梱時の状態を示している。
【００４５】
梱包用トレイ１１０と梱包用トレイ１００との相違点は、梱包用トレイ１１０における本体側突出部４１の形状が、梱包用トレイ１００における本体側突出部２１の形状と異なることだけであり、その他の構造は、梱包用トレイ１００と同様である。従って、トレイ本体４０の本体側突出部４１に関する内容以外については、その説明を部分的に省略する。
【００４６】
梱包用トレイ１１０は、図５に示すように、トレイ本体４０とトレイ蓋１０とを備えている。梱包用トレイ１１０には、トレイ本体４０に上方向へ突出する本体側突出部４１が設けられていると共に、トレイ蓋１０の本体側突出部４１に対向する位置に、蓋側突出部１１が設けられている。蓋側突出部１１は、梱包用トレイ１００の場合と同様に、トレイ蓋１０の外郭部１５の近傍に設けられている。また、蓋側突出部１１は、その突出方向が押圧された方向に反転可能となるように設定されている。
【００４７】
本体側突出部４１は、上方向に向かって突出したドーム状の形状から、図６（ａ）に示すように、Ｘ方向及びＹ方向それぞれに延びて形成されたリブ状の湾曲部４１ｂが交差した形状になっている。従って。＋Ｚ側から見た平面視では、図６（ｂ）に示すように、Ｘ方向及びＹ方向に延びる十字形状となっている。即ち、本体側突出部４１は、十字型リブ４１ａを形成している。このように本体側突出部４１を十字型リブ４１ａにより形成したことによって、本体側突出部４１の剛性をより高めることができる。
【００４８】
梱包用トレイ１１０では、梱包用トレイ１００と同様に、トレイ本体４０とトレイ蓋１０とが係止部３０によって係止されている状態では、図７（ａ）に示すように、上方向に向かって突出した本体側突出部４１の湾曲部４１ｂの外側が、上方向に向かって突出した蓋側突出部１１のドーム部１１ａの内側に接している。言い換えれば、蓋側突出部１１が本体側突出部４１に押圧されて上方向に向かって突出している。
【００４９】
また、係止部３０が開梱作業者によって解放される開梱時には、図７（ｂ）に示すように、当該開梱作業者の親指６１により蓋側突出部１１が上から押圧されることによって、蓋側突出部１１が下方向に向かって突出するように反転する。即ち、開梱作業者の親指６１により蓋側突出部１１が上から押圧されると、蓋側突出部１１のドーム部１１ａの頂点が本体側突出部４１の湾曲部４１ｂの頂点に接した状態で、蓋側突出部１１が反転する。蓋側突出部１１が反転することによって、トレイ蓋１０をトレイ本体４０から容易に引き剥がすことができる。
【００５０】
以下、本実施形態としたことによる効果について説明する。
【００５１】
梱包用トレイ１００は、開梱作業時に、開梱作業者により押圧される上方向へ突出していた蓋側突出部１１が下方向に向かって突出するように反転するので、トレイ蓋１０をトレイ本体２０から容易に引き剥がすことができる。その結果、開梱作業における作業性を良くすることができる。
【００５２】
また、蓋側突出部１１を形成している材料の厚さｔ１が、本体側突出部２１を形成している材料の厚さｔ２よりも薄いので、本体側突出部２１の剛性が蓋側突出部１１に対して高くなる。そのため、蓋側突出部１１を反転し易くすることができる。
【００５３】
また、蓋側突出部１１を形成している材料の厚さｔ１が、蓋側突出部１１の周囲を形成している材料の厚さｔ３よりも薄いので、蓋側突出部１１の周囲の剛性が高くなる。そのため、蓋側突出部１１をその周囲より突出し易くすることができる。
【００５４】
また、蓋側突出部１１が外郭部１５の近傍にあるため、蓋側突出部１１を開梱作業者の親指６１で押圧する際に、外郭部１５を開梱作業者の他の指で保持することが容易にできる。
【００５５】
また、トレイ蓋１０の外郭部１５に一対の凹み部３５があるため、開梱作業時に開梱作業者の両手を一対の凹み部３５へ差し込むことができる。そのため、梱包用トレイ１００が外装箱５０に収納されている状態においても、開梱作業を容易に行うことができる。
【００５６】
また、梱包用トレイ１１０は、本体側突出部４１を十字型リブ４１ａにより形成することによって、本体側突出部４１の剛性をより高めることができる。そのため、蓋側突出部１１をより反転し易くすることができる。
【００５７】
以上説明したように、本発明の梱包用トレイは、開梱作業時に、開梱作業者により押圧される上方向へ突出していた蓋側突出部が下方向に向かって突出するように反転するので、トレイ蓋をトレイ本体から容易に引き剥がすことができる。その結果、開梱作業における作業性を良くすることができる。
【００５８】
本発明は上記の実施形態に限定されるものではなく、要旨を逸脱しない範囲で種々変更して実施することが可能である。
【符号の説明】
【００５９】
１０        トレイ蓋
１１        蓋側突出部
１１ａ      ドーム部
１３        支持部
１５        外郭部
１５ａ      外壁部
１６        平面部
１７        凸部
２０        トレイ本体
２１        本体側突出部
２１ａ      ドーム部
２３        収納部
２７        凹部
３０        係止部
３５        凹み部
４０        トレイ本体
４１        本体側突出部
４１ａ      十字型リブ
４１ｂ      湾曲部
５０        外装箱
６１        親指
１００      梱包用トレイ
１１０      梱包用トレイ
ｔ１        厚さ
ｔ２        厚さ
ｔ３        厚さ
【図１】
2018024441.tif 000003
【図２】
2018024441.tif 000004
【図３】
2018024441.tif 000005
【図４】
2018024441.tif 000006
【図５】
2018024441.tif 000007
【図６】
2018024441.tif 000008
【図７】
2018024441.tif 000009
【図８】
2018024441.tif 000010